(57)【要約】      （修正有）【課題】解像度の劣化や表示の遅延時間が発生しない光学式ファインダを持ったミラーレスカメラを提供すること。【解決手段】フランジバックの異なる、交換式レンズ１００を光学ファインダーを有しないカメラ本体３００に装着する、光学ファインダーを有するアダプター装置２０１であって、前記アダプター装置２０１がファインダ部２２０と、前記ファインダ部２２０へ光束を導く反射部材２３０を持つことを特徴とする。【選択図】図１
2018005126.tif 000002
【特許請求の範囲】
【請求項１】
フランジバックの異なる交換式レンズをカメラ本体に装着するアダプターであって、
前記アダプターはファインダ部と、前記ファインダ部へ光束を導く反射部材を持つことを特徴としたアダプター。
【請求項２】
前記反射部はハーフミラーであり、光束を前記ファインダ部と前記撮像部へ同時に導くことを可能とした請求項１に記載のアダプター。
【請求項３】
前記反射部材はミラーであり、撮影時には駆動手段によりで光軸から離れるように動き
カメラ本体の撮像部へ光束を導くことを可能とする請求項１に記載のアダプター。
【請求項４】
前記反射部材は手動または電動にて任意に光軸上から離れるように動かすことを可能とする請求項１乃至請求項３の何れか一項に記載のアダプター。
【請求項５】
前記アダプターは合焦センサが設けられており、前記ファインダ部へ光束を導く前記反射部材の他に前記合焦センサに光束を導くセンサ用反射部材を持つことを可能とする請求項１乃至請求項４の何れか一項に記載のアダプター。
【請求項６】
前記アダプターは測光センサが設けられており、前記ファインダ部へ光束を導く前記反射部材の他に前記測光センサに光束を導くセンサ用反射部材を持つことを可能とする請求項１乃至請求項５の何れか一項に記載のアダプター。
【請求項７】
請求項１乃至請求項６の何れか一項に記載のアダプターを備えることを特徴とする撮像装置。
【発明の詳細な説明】
【技術分野】
【０００１】
本発明は、フランジバックの異なる交換式レンズをカメラ本体に装着するためのアダプター装置および前記アダプターを用いた撮像装置に関し、主にミラーレスカメラに一眼レフ用レンズを装着するためのアダプター装置、および前記アダプターを用いた撮像装置に関する。
【背景技術】
【０００２】
従来、ミラーレスカメラには光学式のファインダ部が設けられていないので、撮影される画像を直接確認する方法はなかった。このとき、図４に示すように、撮像素子から取得した画像をカメラ背面に搭載された液晶モニター等の表示部に映し出して確認しながら撮影する方法が一般的であった。一方、一眼レフカメラで撮影する場合は、図３に示すようにレンズから得られる像をファインダで確認しながら撮影する方法が一般的である。
【０００３】
ミラーレスカメラの撮影方法には視野率を100%に設定する事が容易である事や、撮影者がカメラに顔を近づける必要がないので撮影時の姿勢に制約が少ない等の利点もあるが、一眼レフカメラの撮影方法に慣れた撮影者はミラーレスカメラのような撮影方法を不便に感じる場合がある。
【０００４】
そこで、一眼レフカメラに慣れた撮影者が撮影し易いように、ミラーレスカメラにファインダ部を設ける方法が提案されている。
特許文献１では、カメラ本体から電気的に受信した撮像画像を表示する表示部を設けた電子ビューファインダ装置をカメラ本体の外部に取り付ける構造が開示されている。
【先行技術文献】
【特許文献】
【０００５】
【特許文献１】特開平11-355618号公報
【発明の概要】
【発明が解決しようとする課題】
【０００６】
しかしながら、特許文献１の構造では、ファインダで確認できる像の解像度が表示部の解像度に依存しており、ファインダで確認できる像が実際に撮影される画像よりも劣化したものである場合がある。また、カメラ本体から受診した画像を表示部に映し出すまでの遅延時間が発生し、画像をリアルタイムで確認できないという問題もある。
【０００７】
そこで、本発明の目的は、ミラーレスカメラに、解像度の劣化や表示の遅延時間が発生しない光学式ファインダを搭載するためのアダプター装置、および前記アダプターを用いた撮像装置を提供することにある。
【課題を解決するための手段】
【０００８】
上記の目的を達成するために、本発明に係るアダプターは、
フランジバックの異なる交換式レンズをカメラ本体に装着するアダプター装置アダプター装置、および前記アダプターを用いた撮像装置であって、前記アダプター装置がファインダ部と、前記ファインダ部へ光束を導く反射部材を持つことを特徴とする。
【発明の効果】
【０００９】
本発明によれば、ミラーレスカメラ本体にフランジバックの異なる一眼レフ用レンズ等を装着する場合において、ミラーレスカメラに、解像度の劣化や表示の遅延時間が発生しない光学式ファインダを搭載する事を可能とするアダプター装置、および前記アダプターを用いた撮像装置を提供することができる。
【図面の簡単な説明】
【００１０】
【図１】本発明の実施例１によるアダプターを装着したカメラとレンズの断面図である。
【図２】本発明の実施例２によるアダプターを装着したカメラとレンズの断面図である。
【図３】カメラのファインダで像を確認しながら撮影する様子を表した図である。
【図４】カメラのモニターで像を確認しながら撮影する様子を表した図である。
【図５】カメラのモニターで像を確認しながら撮影する際の撮影者の視点の図である。
【図６】レンズを装着した一眼レフカメラの断面図である。
【図７】一眼レフカメラ用のレンズを、アダプターを介して装着したミラーレスカメラの断面図である。
【図８】ミラーレスカメラ専用レンズを装着したミラーレスカメラの断面図である。
【図９】本発明の実施例１によるアダプターを装着したカメラの表示部切り替えフローチャートである。
【図１０】本発明の実施例２によるアダプターを装着したカメラの表示部切り替えフローチャートである。
【発明を実施するための形態】
【００１１】
以下に、本発明の好ましい実施の形態を添付の図面に基づいて詳細に説明する。
図１は本発明の実施例１によるアダプター装置を装着したカメラ本体と交換式レンズの断面図である。
【００１２】
［実施例１］
以下、図１、２、６、７を参照して、本発明の第１の実施例によるアダプター装置について説明する。
【００１３】
図１は本発明の実施例１によるハーフミラーアダプター装置２０１を装着したカメラ本体と交換式レンズの断面図である。
ハーフミラーアダプター装置２０１にはアダプター反射部材２３０が配置されている。アダプター反射部材２３０はハーフミラーであり、ミラーレスカメラ用交換式レンズ１００の光学系１１０から入射した光束をミラーレスファインダ部２２０とミラーレスカメラ本体３００へと同時に導いている。ミラーレスカメラ本体３００に導かれた光束はミラーレスカメラ撮像素子３６０にて結像し、結像した像はミラーレスカメラモニター部３８０に表示される。
【００１４】
アダプター反射部材２３０によってアダプターファインダ部２２０の方へ導かれる光束は、アダプター反射部材２３０で反射した後、アダプター焦点板２５０で結像する。結像した像はアダプターファインダ部反射部材２４０にて反射し、アダプター接眼光学系２１０によって拡大され、アダプターファインダ部２２０に至る。アダプターファインダ部反射部材２４０はペンタプリズムまたはペンタダハミラー等である。
【００１５】
図６はレンズを装着した一眼レフカメラの断面図である。
一眼レフカメラ本体６００には一眼レフカメラ反射部材５３０が配置されている。一眼レフカメラ反射部材５３０の一眼レフカメラメインミラー５３１はハーフミラーであり、一眼レフカメラ用交換式レンズ４００の光学系４１０から入射した光束を一眼レフカメラファインダ部５２０と一眼レフカメラ撮像素子６６０方向へと同時に導いている。一眼レフカメラ撮像素子６６０方向に導かれた光束は一眼レフカメラサブミラー５３２によって反射され、一眼レフカメラ合焦センサ５６０へ導かれ、一眼レフカメラ用交換式レンズの光学系４１０の合焦制御に用いられる。
【００１６】
一眼レフカメラメインミラー５３１によって一眼レフカメラファインダ部５２０の方へ導かれる光束は、一眼レフカメラ反射部材５３０で反射した後、一眼レフカメラ焦点板５５０で結像する。結像した像は一眼レフカメラファインダ部反射部材５４０にて反射し、一眼レフカメラ接眼光学系５１０によって拡大され、一眼レフカメラファインダ部５２０に至る。一眼レフカメラファインダ部反射部材５４０はペンタプリズムまたはペンタダハミラー等である。
【００１７】
図７は一眼レフカメラ用交換式レンズ４００を、アダプター装置２００を仲介して装着したミラーレスカメラ本体３００の断面図である。
カメラ本体に関して、ミラーレスカメラはファインダ部へ光束を導く反射部材がない分、光軸方向に関して一眼レフカメラよりも小型になる。また、ミラーレスカメラに装着する専用レンズはその光路に合わせて設計されるためにフランジバックが短く、レンズ装着状態でもミラーレスカメラは一眼レフカメラよりも小型である。
【００１８】
このミラーレスカメラ本体に一眼レフ用のレンズを装着するには、フランジバックの差を補完するアダプターが必要になるため、当然の事ながら一眼レフ用のレンズを装着した場合のミラーレスカメラは一眼レフカメラと比べて光軸方向に関して同程度の大きさとなる。この時、アダプター内は空洞であり、デッドスペースとなっている。このスペースにミラーを配置する事により、大型化を抑えながらミラーレスカメラに光学式ファインダを設ける事ができた。
【００１９】
図９は本発明の実施例１によるハーフミラーアダプター装置２０１を装着したカメラの表示部切り替えフローチャートである。
実施例１においてアダプター反射部材２３０はハーフミラーであり、光束をアダプターファインダ部２２０と同時にミラーレスカメラ本体３００にも導いているので、ハーフミラーアダプター装置２０１を装着した状態でもミラーレスカメラモニター部３８０に画像を表示することはできる。
しかし、図３に示すようにアダプターファインダ部２２０を覗き込んで像を確認する場合はミラーレスカメラモニター部３８０に画像を表示する必要はなく、メニュー画面の操作や各種設定を行う時にのみミラーレスカメラモニター部３８０を使う事になる。
【００２０】
そこで、ミラーレスカメラモニター部３８０の表示の有無を切り換える事を可能とし、撮影時に撮影者が任意に切り換えて使用するシステムとする。
【００２１】
一眼レフカメラ用交換式レンズ４００を装着したハーフミラーアダプター装置２０１をミラーレスカメラ本体３００に装着した際、ミラーレスカメラ本体３００はミラーレスカメラモニター部３８０に像を表示するか否かをユーザーに問う。ユーザーが表示すると選択した場合は、ミラーレスカメラ本体３００は一眼レフカメラ撮像素子６６０にて結像した像をミラーレスカメラモニター部３８０に表示する。表示しないと選択した場合はミラーレスカメラモニター部３８０の表示を停止する。
【００２２】
［実施例２］
図２は本発明の実施例２による二面ミラーアダプター装置２０２を装着したミラーレスカメラ本体３００と一眼レフカメラ用交換式レンズ４００の断面図である。
二面ミラーアダプター装置２０２にはアダプター反射部材２３０が配置されている。アダプター反射部材２３０は一眼レフカメラ用交換式レンズ４００から入射した光束をアダプターファインダ部２２０へ導くアダプター反射部材メインミラー２３１と、一眼レフカメラ用交換式レンズ４００から入射し、アダプター反射部材メインミラー２３１を透過した光束をアダプター合焦センサ２６０へ導くアダプター反射部材サブミラー２３２で構成されている。
【００２３】
アダプター反射部材メインミラー２３１はハーフミラーであり、アダプター反射部材サブミラー２３２はミラーであり、両者は共に撮影光路から進退可能に設けられている。撮影時にはアダプター反射部材メインミラー２３１とアダプター反射部材サブミラー２３２は撮影光路から退避する様に動き、レンズから入射した光束をミラーレスカメラ本体３００へ導く。
【００２４】
実施例２において、アダプター反射部材２３０が撮影光路から退避しない状態では光束がミラーレスカメラ本体３００には届かないので、ミラーレスカメラ本体３００が合焦や測光を行う事ができない。そこで実施例２においては二面ミラーアダプター装置２０２内にアダプター合焦センサ２６０とアダプター測光センサ２７０を設け、そのセンサを用いて合焦と測光を行う。
【００２５】
一眼レフカメラ用交換式レンズ４００から二面ミラーアダプター装置２０２に入射した光束はメインミラー２３１で一部反射した後アダプターファインダ部反射部材２４０で反射し、アダプターファインダ部２２０とアダプター測光センサ２７０へ導かれる。アダプターファインダ側反射部材２４０はペンタプリズムまたはペンタダハミラー等である。アダプター反射部材メインミラー２３１を透過した光束はアダプター反射部材サブミラー２３２で反射し、アダプター合焦センサ２６０へ導かれる。
【００２６】
図１０は本発明の実施例２による二面ミラーアダプター装置２０２を装着したミラーレスカメラ本体３００の表示部切り替えフローチャートである。
実施例２において、アダプター反射部材２３０が撮影光路から退避しない状態では光束がミラーレスカメラ本体３００には届かないので、ミラーレスカメラモニター部３８０に画像を表示する事ができない。そこで二面ミラーアダプター装置２０２を装着した際にミラーレスカメラモニター部３８０の表示はオフにする必要がある。
【００２７】
しかし、図４、図５に示すように撮影者がミラーレスカメラモニター部３８０で画像を確認しながら撮影するという状況も想定されるので、撮影者が任意にミラーレスカメラモニター部３８０の表示の有無を切り換える事ができるシステムとする。
【００２８】
一眼レフカメラ用交換式レンズ４００を装着した二面ミラーアダプター装置２０２をミラーレスカメラ本体３００に装着した際、ミラーレスカメラ本体３００はミラーレスカメラモニター部３８０に像を表示するか否かをユーザーに問う。ユーザーが表示すると選択した場合は、ミラーレスカメラ本体３００は反射部材２３０を撮影光路から退避させ、一眼レフカメラ用交換式レンズ４００から二面ミラーアダプター装置２０２に入射した光束をミラーレスカメラ本体３００に導く。
【００２９】
そして、ミラーレスカメラ本体３００に導かれてミラーレスカメラ撮像素子３６０にて結像した光束の像をミラーレスカメラモニター部３８０に表示する。表示しないと選択した場合はミラーレスカメラモニター部３８０の表示を停止する。撮影時には反射部材２３０は従来の一眼レフカメラのミラーと同様に撮影光路から退避するように動く。
【００３０】
以上により、解像度の劣化や表示の遅延時間が発生しない光学式ファインダを持ったミラーレスカメラを提供することが出来る。
【００３１】
以上、本発明の好ましい実施形態について説明したが、本発明はこれらの実施形態に限定されず、その要旨の範囲内で種々の変形及び変更が可能である。例えば、アダプター内に配置される反射部材に関して、実施例ではミラーまたはハーフミラーと記載したが、プリズム等の光学要素を用いてもよい。
【符号の説明】
【００３２】
１００  ミラーレスカメラ用交換式レンズ、
１１０  ミラーレスカメラ用交換式レンズの光学系、２００  アダプター装置、
２０１  ハーフミラーアダプター装置、２０２  二面ミラーアダプター装置、
２１０  アダプター接眼光学系、２２０  アダプターファインダ部、
２３０  アダプター反射部材、２３１  アダプター反射部材メインミラー、
２３２  アダプター反射部材サブミラー、２４０  アダプターファインダ部反射部材、
２５０  アダプター焦点板、２６０  アダプター合焦センサ、
２７０  アダプター測光センサ、３００  ミラーレスカメラ本体、
３６０  ミラーレスカメラ撮像素子、３８０  ミラーレスカメラモニター部、
４００  一眼レフカメラ用交換式レンズ、
４１０  一眼レフカメラ用交換式レンズの光学系、５１０  一眼レフカメラ接眼光学系、
５２０  一眼レフカメラファインダ部、５３１  一眼レフカメラメインミラー、
５３２  一眼レフカメラサブミラー、５４０  一眼レフカメラファインダ部反射部材、
５５０  一眼レフカメラ焦点板、５６０  一眼レフカメラ合焦センサ、
５７０  一眼レフカメラ測光センサ、６００  一眼レフカメラ本体、
６６０  一眼レフカメラ撮像素子、６８０  一眼レフカメラモニター部
【図１】
2018005126.tif 000003
【図２】
2018005126.tif 000004
【図３】
2018005126.tif 000005
【図４】
2018005126.tif 000006
【図５】
2018005126.tif 000007
【図６】
2018005126.tif 000008
【図７】
2018005126.tif 000009
【図８】
2018005126.tif 000010
【図９】
2018005126.tif 000011
【図１０】
2018005126.tif 000012